【手続補正書】
【提出日】平成29年4月6日(2017.4.6)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信の方法であって、
第１の無線アクセス技術（ＲＡＴ）および第２のＲＡＴ上でネットワーク機器と通信することと、
前記ＵＥと前記ネットワーク機器との間の前記通信における前記第１のＲＡＴと前記第２のＲＡＴとの間の結合を識別することと、
前記ＲＡＴのうちの少なくとも１つと関連付けられたハンドオーバイベントを識別することと、
前記ＵＥによって、前記識別されたハンドオーバイベントおよび前記第１のＲＡＴと前記第２のＲＡＴとの間の前記結合に少なくとも部分的に基づいてネットワークトラヒックルーティングを適合させることと
を備える、方法。
【請求項２】
前記ＵＥから前記ネットワーク機器へのアップリンクトラヒックのルーティングを変更するための要求を前記ネットワーク機器から受信することをさらに備える、請求項１に記載の方法。
【請求項３】
前記第１のネットワークは、ワイヤレスワイドエリアネットワーク（ＷＷＡＮ）を備え、前記第２のネットワークは、無線ローカルエリアネットワーク（ＷＬＡＮ）を備え、ここにおいて、前記結合は、前記第１と第２のＲＡＴの両方に関するネットワークトラヒックを前記ネットワーク機器へ伝達するために共通のベアラを使用することを備える、請求項１に記載の方法。
【請求項４】
前記第１のＲＡＴと前記第２のＲＡＴとの間の前記結合を識別することは、
前記第１のＲＡＴと前記第２のＲＡＴ上の前記ネットワーク機器と前記ＵＥとの間の前記ネットワークトラヒックが少なくとも前記共通のベアラによってサポートされると決定することを備える、請求項３に記載の方法。
【請求項５】
前記ハンドオーバイベントによって示された前記ＵＥのハンドオーバが、前記ＵＥが現在のレートで前記第１のＲＡＴおよび前記第２のＲＡＴの両方上で前記共通のベアラによってサポートされるネットワークトラヒックを通信し続ける能力に影響を及ぼし得ると決定することをさらに備える、請求項４に記載の方法。
【請求項６】
前記第１および第２のＲＡＴの両方に関するトラヒックを伝達するために、前記ハンドオーバイベントのターゲットが共通のベアラの使用をサポートしない場合、前記ルーティングを適合させることは、前記第１と第２のＲＡＴとの間の前記結合を解除することを備える、請求項１に記載の方法。
【請求項７】
前記結合を解除することは、前記ＲＡＴのうちの１つ上で前記共通のベアラと関連付けられた全てのデータトラヒックをルーティングすることを備える、請求項６に記載の方法。
【請求項８】
前記ＵＥにおいて前記ネットワークトラヒックルーティングを適合させることは、
前記識別されたハンドオーバイベントに基づいて前記ＵＥによって記憶されたＩＰ−レイヤルーティングテーブルを変更することを備える、請求項１に記載の方法。
【請求項９】
前記ルーティングテーブルを変更することは、前記ハンドオーバイベントのターゲットが、前記第１のＲＡＴと前記第２のＲＡＴの両方上で前記ＵＥのトラヒックを伝達するために共通のベアラを使用することをサポートするという決定に応答する、請求項８に記載の方法。
【請求項１０】
前記ＵＥにおいて前記ネットワークトラヒックルーティングを適合させることは、
前記識別されたハンドオーバイベントに基づいて前記ＵＥにおいて少なくとも１つのサブ−ＩＰレイヤスケジューリングルールを変更することを備え、前記スケジューリングルールは、前記第１および第２のＲＡＴの間で前記ネットワーク機器と前記ＵＥとの間でアップリンクトラヒックを分散することと関連付けられる、請求項１に記載の方法。
【請求項１１】
前記少なくとも１つのサブ−ＩＰレイヤスケジューリングルールを変更することは、前記ハンドオーバイベントのターゲットが、前記第１のＲＡＴと前記第２のＲＡＴの両方上で前記ＵＥのトラヒックを伝達するために共通のベアラを使用することをサポートするという決定に応答する、請求項１０に記載の方法。
【請求項１２】
前記ハンドオーバイベントのターゲットが、前記第１のＲＡＴと前記第２のＲＡＴの両方上で前記ＵＥのトラヒックを伝達するために共通のベアラを使用することをサポートするという決定に応答して共通のベアラを使用する前記第２のＲＡＴと前記第１のＲＡＴ上で前記ネットワーク機器へ前記ＵＥのネットワークトラヒックを送信することをさらに備え、または、
前記ネットワーク機器から前記ＵＥへのダウンリンクトラヒックのルーティングを変更するように前記ネットワーク機器へ要求を送信することをさらに備え、または、
前記第２のＲＡＴへルーティングされるべきである保留中のネットワークトラヒックの量に基づいて、前記第１のＲＡＴにおいてハンドオーバを遅延させることをさらに備え、または、
前記第１のＲＡＴにおける前記ＵＥのハンドオーバに応答する前記第２のＲＡＴ上の前記ＵＥの接続を変更することをさらに備え、または、
前記ＲＡＴのうちの１つと関連付けられたポートのセット上でワイヤレストラヒックを送信することおよび受信することをさらに備え、ここにおいて、前記ネットワークトラヒックルーティングは前記ポートのセットのサブセットに適合される、請求項１に記載の方法。
【請求項１３】
前記第２のＲＡＴにおける前記ネットワーク機器と前記ＵＥとの間の前記接続を変更することは、前記ＵＥを前記第２のＲＡＴから分離すること、前記第２のＲＡＴにおいて前記ＵＥのハンドオーバを開始すること、または前記ＵＥにおいて前記第２のＲＡＴを非アクティブ化することのうちの少なくとも１つを備える、請求項１２に記載の方法。
【請求項１４】
前記第１のＲＡＴと前記第２のＲＡＴとの間の前記結合を識別することは、前記ＲＡＴのうちの１つ上で前記ネットワーク機器からユニキャストメッセージを受信すること、前記メッセージは、前記第１のＲＡＴと前記第２のＲＡＴとの間の前記結合を示し、
前記第１のＲＡＴと前記第２のＲＡＴとの間の前記結合を通知する前記ＲＡＴのうちの少なくとも１つ上でブロードキャストメッセージを受信すること、
前記第２のＲＡＴの少なくとも１つのキャリアと前記第１のＲＡＴの少なくとも１つのキャリアのキャリアアグリゲーションを識別すること、または
前記ネットワーク機器が前記ＲＡＴの各々と関連付けられた配置された要素を備えると決定すること
のうちの少なくとも１つを備え、または、
前記ハンドオーバイベントを識別することは、
前記ネットワーク機器から前記ハンドオーバイベントの表示を受信すること、
前記ＲＡＴのうちの少なくとも１つと関連付けられた前記ネットワーク機器からのハンドオーバ命令を前記ＵＥにおいて受信すること、
前記ＵＥと関連付けられた現在のサービングセルの無線リンク障害を検出すること、
前記ＲＡＴのうちの少なくとも１つと関連付けられたサービス品質がしきい値未満に落ちたと決定すること、または
隣接セルが前記ＵＥと関連付けられた現在のサービングセルよりも優良な信号強度を備えると決定すること
のうちの少なくとも１つを備える、請求項１に記載の方法。
【請求項１５】
ユーザ機器（ＵＥ）装置は、請求項１から１４のうちのいずれか１項のステップを行うように配置される手段を備える、ＵＥ装置。
【請求項１６】
コンピュータプログラム製品であって、請求項１から１４のうちのいずれか１項のステップを行うことがプロセッサによって実行可能である命令を記憶する非一時的なコンピュータ可読媒体を備える、コンピュータプログラム製品。
【手続補正２】
【補正対象書類名】明細書
【補正対象項目名】０１１５
【補正方法】変更
【補正の内容】
【０１１５】
[0127]  本開示の先の説明は、本開示を製造または使用することを当業者に可能にさせるために提供されている。本開示に対する様々な変形は当業者にとって容易に明らかであり、ここで定義された包括的原理は本開示の主旨または範囲から逸脱することなく他の変形例に適用可能であり得る。この開示を通して、用語「例（example）」または「典型的（exemplary）」は、実例または事例を示し、記載された例が好ましくあることを暗示するまたは要求するものではない。したがって、本開示は、ここに記載された例および設計に制限されることを意図せず、ここに開示された原理および新規な特徴と合致する最も広い範囲が与えられるべきである。
以下に、本願出願の当初の特許請求の範囲に記載された発明を付記する。
［Ｃ１］
ユーザ機器（ＵＥ）によるワイヤレス通信のための方法であって、
第１の無線アクセス技術（ＲＡＴ）および第２のＲＡＴ上でネットワーク機器と通信することと、
前記ＵＥと前記ネットワーク機器との間の前記通信における前記第１のＲＡＴと前記第２のＲＡＴとの間の結合を識別することと、
前記ＲＡＴのうちの少なくとも１つと関連付けられたハンドオーバイベントを識別することと、
前記ＵＥによって、前記識別されたハンドオーバイベントおよび前記第１のＲＡＴと前記第２のＲＡＴとの間の前記結合に少なくとも部分的に基づいてネットワークトラヒックルーティングを適合させることと
を備える、方法。
［Ｃ２］
前記ＵＥから前記ネットワーク機器へのアップリンクトラヒックのルーティングを変更するための要求を前記ネットワーク機器から受信することをさらに備える、Ｃ１に記載の方法。
［Ｃ３］
前記第１のネットワークは、ワイヤレスワイドエリアネットワーク（ＷＷＡＮ）を備え、前記第２のネットワークは、無線ローカルエリアネットワーク（ＷＬＡＮ）を備え、ここにおいて、前記結合は、前記第１と第２のＲＡＴの両方に関するネットワークトラヒックを前記ネットワーク機器へ伝達するために共通のベアラを使用することを備える、Ｃ１に記載の方法。
［Ｃ４］
前記第１のＲＡＴと前記第２のＲＡＴとの間の前記結合を識別することは、
前記第１のＲＡＴと前記第２のＲＡＴ上の前記ネットワーク機器と前記ＵＥとの間の前記ネットワークトラヒックが少なくとも前記共通のベアラによってサポートされると決定することを備える、Ｃ３に記載の方法。
［Ｃ５］
前記ハンドオーバイベントによって示された前記ＵＥのハンドオーバが、前記ＵＥが現在のレートで前記第１のＲＡＴおよび前記第２のＲＡＴの両方上で前記共通のベアラによってサポートされるネットワークトラヒックを通信し続ける能力に影響を及ぼし得ると決定することをさらに備える、Ｃ４に記載の方法。
［Ｃ６］
前記第１および第２のＲＡＴの両方に関するトラヒックを伝達するために、前記ハンドオーバイベントのターゲットが共通のベアラの使用をサポートしない場合、前記ルーティングを適合させることは、前記第１と第２のＲＡＴとの間の前記結合を解除することを備える、Ｃ１に記載の方法。
［Ｃ７］
前記結合を解除することは、前記ＲＡＴのうちの１つ上で前記共通のベアラと関連付けられた全てのデータトラヒックをルーティングすることを備える、Ｃ６に記載の方法。
［Ｃ８］
前記ＵＥにおいて前記ネットワークトラヒックルーティングを適合させることは、
前記識別されたハンドオーバイベントに基づいて前記ＵＥによって記憶されたＩＰ−レイヤルーティングテーブルを変更することを備える、Ｃ１に記載の方法。
［Ｃ９］
前記ルーティングテーブルを変更することは、前記ハンドオーバイベントのターゲットが、前記第１のＲＡＴと前記第２のＲＡＴの両方上で前記ＵＥのトラヒックを伝達するために共通のベアラを使用することをサポートするという決定に応答する、Ｃ８に記載の方法。
［Ｃ１０］
前記ＵＥにおいて前記ネットワークトラヒックルーティングを適合させることは、
前記識別されたハンドオーバイベントに基づいて前記ＵＥにおいて少なくとも１つのサブ−ＩＰレイヤスケジューリングルールを変更することを備え、前記スケジューリングルールは、前記第１および第２のＲＡＴの間で前記ネットワーク機器と前記ＵＥとの間でアップリンクトラヒックを分散することと関連付けられる、Ｃ１に記載の方法。
［Ｃ１１］
前記少なくとも１つのサブ−ＩＰレイヤスケジューリングルールを変更することは、前記ハンドオーバイベントのターゲットが、前記第１のＲＡＴと前記第２のＲＡＴの両方上で前記ＵＥのトラヒックを伝達するために共通のベアラを使用することをサポートするという決定に応答する、Ｃ１０に記載の方法。
［Ｃ１２］
前記ハンドオーバイベントのターゲットが、前記第１のＲＡＴと前記第２のＲＡＴの両方上で前記ＵＥのトラヒックを伝達するために共通のベアラを使用することをサポートするという決定に応答して共通ベアラを使用する前記第２のＲＡＴと前記第１のＲＡＴ上で前記ネットワーク機器へ前記ＵＥのネットワークトラヒックを送信することをさらに備える、Ｃ１に記載の方法。
［Ｃ１３］
前記ネットワーク機器から前記ＵＥへのダウンリンクトラヒックのルーティングを変更するようにネットワーク機器へ要求を送信することをさらに備える、Ｃ１に記載の方法。
［Ｃ１４］
前記第２のＲＡＴへルーティングされるべきである保留中のネットワークトラヒックの量に基づいて、前記第１のＲＡＴにおいてハンドオーバを遅延させることをさらに備える、Ｃ１に記載の方法。
［Ｃ１５］
前記第１のＲＡＴにおける前記ＵＥのハンドオーバに応答する前記第２のＲＡＴ上の前記ＵＥの接続を変更することをさらに備える、Ｃ１に記載の方法。
［Ｃ１６］
前記第２のＲＡＴにおける前記ネットワーク機器と前記ＵＥとの間の前記接続を変更することは、前記ＵＥを前記第２のＲＡＴから分離すること、前記第２のＲＡＴにおいて前記ＵＥのハンドオーバを開始すること、または前記ＵＥにおいて前記第２のＲＡＴを非アクティブ化することのうちの少なくとも１つを備える、Ｃ１５に記載の方法。
［Ｃ１７］
前記ＲＡＴのうちの１つと関連付けられたポートのセット上でワイヤレストラヒックを送信することおよび受信することをさらに備え、ここにおいて、前記ネットワークトラヒックルーティングは前記ポートのセットのサブセットに適合される、Ｃ１に記載の方法。
［Ｃ１８］
前記第１のＲＡＴと前記第２のＲＡＴとの間の前記結合を識別することは、前記ＲＡＴのうちの１つ上で前記ネットワーク機器からユニキャストメッセージを受信すること、前記メッセージは、前記第１のＲＡＴと前記第２のＲＡＴとの間の前記結合を示し、
前記第１のＲＡＴと前記第２のＲＡＴとの間の前記結合を通知する前記ＲＡＴのうちの少なくとも１つ上でブロードキャストメッセージを受信すること、
前記第２のＲＡＴの少なくとも１つのキャリアと前記第１のＲＡＴの少なくとも１つのキャリアのキャリアアグリゲーションを識別すること、または
前記ネットワーク機器が前記ＲＡＴの各々と関連付けられた配置された要素を備えると決定すること
のうちの少なくとも１つを備える、Ｃ１に記載の方法。
［Ｃ１９］
前記ハンドオーバイベントを識別することは、
前記ネットワーク機器から前記ハンドオーバイベントの表示を受信すること、
前記ＲＡＴのうちの少なくとも１つと関連付けられた前記ネットワーク機器からのハンドオーバ命令を前記ＵＥにおいて受信すること、
前記ＵＥと関連付けられた現在のサービングセルの無線リンク障害を検出すること、
前記ＲＡＴのうちの少なくとも１つと関連付けられたサービス品質がしきい値未満に落ちたと決定すること、または
隣接セルが前記ＵＥと関連付けられた現在のサービングセルよりも優良な信号強度を備えると決定すること
のうちの少なくとも１つを備える、Ｃ１に記載の方法。
［Ｃ２０］
ユーザ機器（ＵＥ）装置は、
第１の無線アクセス技術（ＲＡＴ）および第２のＲＡＴ上でネットワーク機器と通信するための手段と、
前記ＵＥ装置と前記ネットワーク機器との間の前記通信における前記第１のＲＡＴと前記第２のＲＡＴとの間の結合を識別するための手段と、
前記ＲＡＴのうちの少なくとも１つと関連付けられたハンドオーバイベントを識別するための手段と、
前記ＵＥ装置によって、前記識別されたハンドオーバイベントおよび前記第１のＲＡＴと前記第２のＲＡＴとの間の前記結合に少なくとも部分的に基づいてネットワークトラヒックルーティングを適合させるための手段と
を備える、ＵＥ装置。
［Ｃ２１］
前記ＵＥから前記ネットワーク機器へのアップリンクトラヒックのルーティングを変更するように前記ネットワーク機器から要求を受信するための手段をさらに備える、Ｃ２０に記載の装置。
［Ｃ２２］
前記第１のネットワークは、ワイヤレスワイドエリアネットワーク（ＷＷＡＮ）を備え、前記第２のネットワークは、無線ローカルエリアネットワーク（ＷＬＡＮ）を備え、ここにおいて、前記結合は、前記第１と第２のＲＡＴの両方に関するネットワークトラヒックを前記ネットワーク機器へ伝達するために共通のベアラを使用することを備える、Ｃ２０に記載の装置。
［Ｃ２３］
前記第１のＲＡＴと前記第２のＲＡＴとの間の前記結合を識別するための前記手段は、
前記第１のＲＡＴと前記第２のＲＡＴ上の前記ネットワーク機器と前記ＵＥとの間の前記ネットワークトラヒックが少なくとも前記共通のベアラによってサポートされると決定するための手段を備える、Ｃ２２に記載の装置。
［Ｃ２４］
前記ハンドオーバイベントによって示された前記ＵＥのハンドオーバが、前記ＵＥが現在のレートで前記第１のＲＡＴおよび前記第２のＲＡＴの両方上で前記共通のベアラによってサポートされるネットワークトラヒックを通信し続ける能力に影響を及ぼし得ると決定するための手段をさらに備える、Ｃ２３に記載の装置。
［Ｃ２５］
前記ルーティングを適合させるための前記手段は、前記第１および第２のＲＡＴの両方に関するトラヒックを伝達するために、前記ハンドオーバイベントのターゲットが共通のベアラの使用をサポートしない場合、前記第１と第２のＲＡＴとの間の前記結合を解除するための手段を備える、Ｃ２０に記載の装置。
［Ｃ２６］
前記結合を解除するための前記手段は、前記ＲＡＴのうちの１つ上で前記共通のベアラと関連付けられた全てのデータトラヒックをルーティングするための手段を備える、Ｃ２５に記載の装置。
［Ｃ２７］
前記ＵＥにおいて前記ネットワークトラヒックルーティングを適合させるための前記手段は、
前記識別されたハンドオーバイベントに基づいて前記ＵＥによって記憶されたＩＰ−レイヤルーティングテーブルを変更するための手段を備える、Ｃ２０に記載の装置。
［Ｃ２８］
前記ルーティングテーブルを変更するための前記手段は、前記ハンドオーバイベントのターゲットが、前記第１のＲＡＴと前記第２のＲＡＴの両方上で前記ＵＥのトラヒックを伝達するために共通のベアラを使用することをサポートするという決定に応答する、Ｃ２７の装置。
［Ｃ２９］
前記ＵＥにおいて前記ネットワークトラヒックルーティングを適合させるための前記手段は、
前記識別されたハンドオーバイベントに基づいて前記ＵＥにおける少なくとも１つのサブ−ＩＰレイヤスケジューリングルールを変更するための手段を備え、前記スケジューリングルールは、前記第１と第２のＲＡＴの間で前記ネットワーク機器と前記ＵＥとの間でアップリンクトラヒックを分散することと関連付けられる、Ｃ２０に記載の装置。
［Ｃ３０］
前記少なくとも１つのサブ−ＩＰレイヤスケジューリングルールを変更するための前記手段は、前記ハンドオーバイベントのターゲットが、前記第１のＲＡＴと前記第２のＲＡＴの両方上で前記ＵＥのトラヒックを伝達するために共通のベアラを使用することをサポートするという決定に応答する、Ｃ２９に記載の装置。
［Ｃ３１］
前記ハンドオーバイベントのターゲットが前記第１のＲＡＴと前記第２のＲＡＴの両方上で前記ＵＥのトラヒックを伝達するために共通のベアラを使用することをサポートするという決定に応答して共通ベアラを使用する前記第２のＲＡＴと前記第１のＲＡＴ上で前記ネットワーク機器へ前記ＵＥのネットワークトラヒックを送信するための手段をさらに備える、Ｃ２０に記載の装置。
［Ｃ３２］
前記第１のＲＡＴと前記第２のＲＡＴとの間の前記結合を識別するための前記手段は、
前記ＲＡＴのうちの１つ上で前記ネットワーク機器からユニキャストメッセージを受信するための手段、前記メッセージは、前記第１のＲＡＴと前記第２のＲＡＴとの間の前記結合を示し、
前記第１のＲＡＴと前記第２のＲＡＴとの間の前記結合を通知する前記ＲＡＴのうちの少なくとも１つ上でブロードキャストメッセージを受信するための手段、
前記第２のＲＡＴの少なくとも１つのキャリアと前記第１のＲＡＴの少なくとも１つのキャリアのキャリアアグリゲーションを識別するための手段、または
前記ネットワーク機器が前記ＲＡＴの各々と関連付けられた配置された要素を備えると決定するための手段
のうちの少なくとも１つを備える、Ｃ２０に記載の装置。
［Ｃ３３］
ユーザ機器（ＵＥ）装置は、
第１のＲＡＴと関連付けられた第１の無線機と、
第２のＲＡＴと関連付けられた第２の無線機と、
プロセッサと、
前記プロセッサと電子通信状態にあるメモリと、
を備え、
前記メモリは、命令を組み込み、
前記命令は、
第１の無線アクセス技術（ＲＡＴ）および第２のＲＡＴ上でネットワーク機器と通信することと、
前記ＵＥと前記ネットワーク機器との間の前記通信における前記第１のＲＡＴと前記第２のＲＡＴとの間の結合を識別することと、
前記ＲＡＴのうちの少なくとも１つと関連付けられたハンドオーバイベントを識別することと、
前記識別されたハンドオーバイベントおよび前記第１のＲＡＴと前記第２のＲＡＴとの間の前記結合に少なくとも部分的に基づいてネットワークトラヒックルーティングを適合させることと
を行うように前記プロセッサによって実行可能とされる、装置。
［Ｃ３４］
前記ＵＥから前記ネットワーク機器へのアップリンクトラヒックのルーティングを変更するように前記ネットワーク機器から要求を受信するようにさらに構成される、Ｃ３３の装置。
［Ｃ３５］
前記第１のネットワークは、ワイヤレスワイドエリアネットワーク（ＷＷＡＮ）を備え、前記第２のネットワークは、無線ローカルエリアネットワーク（ＷＬＡＮ）を備え、ここにおいて、前記結合は、前記第１と第２のＲＡＴの両方に関するネットワークトラヒックを前記ネットワーク機器へ伝達するために共通のベアラを使用することを備える、Ｃ３３に記載の装置。
［Ｃ３６］
前記第１のＲＡＴと前記第２のＲＡＴとの間の前記結合を識別するように構成された前記プロセッサは、
前記第１のＲＡＴと前記第２のＲＡＴ上の前記ネットワーク機器と前記ＵＥとの間の前記ネットワークトラヒックが少なくとも前記共通のベアラによってサポートされると決定することを備える、Ｃ３５に記載の装置。
［Ｃ３７］
前記ハンドオーバイベントによって示された前記ＵＥのハンドオーバが、前記ＵＥが現在のレートで前記第１のＲＡＴおよび前記第２のＲＡＴの両方上で前記共通のベアラによってサポートされるネットワークトラヒックを通信し続ける能力に影響を及ぼし得ると決定するようにさらに構成される、Ｃ３６に記載の装置。
［Ｃ３８］
前記第１および第２のＲＡＴの両方に関するトラヒックを伝達するために、前記ハンドオーバイベントのターゲットが共通のベアラの使用をサポートしない場合、前記ルーティングを適合させることは、前記第１と第２のＲＡＴとの間の前記結合を解除することを備える、Ｃ３３に記載の装置。
［Ｃ３９］
前記結合を解除することは、前記ＲＡＴのうちの１つ上で前記共通のベアラと関連付けられた全てのデータトラヒックをルーティングすることを備える、Ｃ３８に記載の装置。
［Ｃ４０］
前記ＵＥにおいて前記ネットワークトラヒックルーティングを適合させることは、
前記識別されたハンドオーバイベントに基づいて前記ＵＥによって記憶されたＩＰ−レイヤルーティングテーブルを変更することを備える、Ｃ３３に記載の装置。
［Ｃ４１］
前記ルーティングテーブルを変更することは、前記ハンドオーバイベントのターゲットが、前記第１のＲＡＴと前記第２のＲＡＴの両方上で前記ＵＥのトラヒックを伝達するために共通のベアラを使用することをサポートするという決定に応答する、Ｃ４０に記載の装置。
［Ｃ４２］
前記ＵＥにおいて前記ネットワークトラヒックルーティングを適合させることは、
前記識別されたハンドオーバイベントに基づいて前記ＵＥにおいて少なくとも１つのサブ−ＩＰレイヤスケジューリングルールを変更することを備え、前記スケジューリングルールは、前記第１および第２のＲＡＴの間で前記ネットワーク機器と前記ＵＥとの間でアップリンクトラヒックを分散することと関連付けられる、Ｃ３３に記載の装置。
［Ｃ４３］
前記少なくとも１つのサブ−ＩＰレイヤスケジューリングルールを変更することは、前記ハンドオーバイベントのターゲットが、前記第１のＲＡＴと前記第２のＲＡＴの両方上で前記ＵＥのトラヒックを伝達するために共通のベアラを使用することをサポートするという決定に応答する、Ｃ４２に記載の装置。
［Ｃ４４］
前記ハンドオーバイベントのターゲットが、前記第１のＲＡＴと前記第２のＲＡＴの両方上で前記ＵＥのトラヒックを伝達するために共通のベアラを使用することをサポートするという決定に応答して共通ベアラを使用する前記第２のＲＡＴと前記第１のＲＡＴ上で前記ネットワーク機器へ前記ＵＥのネットワークトラヒックを送信することをさらに備える、Ｃ３３に記載の装置。
［Ｃ４５］
前記第１のＲＡＴと前記第２のＲＡＴとの間の前記結合を識別するように構成された前記プロセッサは、
前記ＲＡＴのうちの１つ上で前記ネットワーク機器からユニキャストメッセージを受信すること、前記メッセージは、前記第１のＲＡＴと前記第２のＲＡＴとの間の前記結合を示し、前記第１のＲＡＴと前記第２のＲＡＴとの間の前記結合を通知する前記ＲＡＴのうちの少なくとも１つ上でブロードキャストメッセージを受信すること、
前記第２のＲＡＴの少なくとも１つのキャリアと前記第１のＲＡＴの少なくとも１つのキャリアのキャリアアグリゲーションを識別すること、または
前記ネットワーク機器が前記ＲＡＴの各々と関連付けられた配置された要素を備えると決定すること
のうちの少なくとも１つを備える、Ｃ３３に記載の装置。
［Ｃ４６］
コンピュータプログラム製品であって、
第１の無線アクセス技術（ＲＡＴ）および第２のＲＡＴ上でネットワーク機器とＵＥとの間で通信することと、
前記ＵＥと前記ネットワーク機器との間の前記通信における前記第１のＲＡＴと前記第２のＲＡＴとの間の結合を識別することと、
前記ＲＡＴのうちの前記少なくとも１つと関連付けられたハンドオーバイベントを識別することと
前記ＵＥによって、前記識別されたハンドオーバイベントおよび前記第１と第２のＲＡＴとの間の前記結合に少なくとも部分的に基づいてネットワークトラヒックルーティングを適合させることと
を行うことがプロセッサによって実行可能である命令を記憶する非一時的なコンピュータ可読媒体を備える、コンピュータプログラム製品。
［Ｃ４７］
前記第１のＲＡＴと前記第２のＲＡＴとの間の前記結合を識別するように構成された前記プロセッサは、
前記ＲＡＴのうちの１つ上で前記ネットワーク機器からユニキャストメッセージを受信すること、前記メッセージは、前記第１のＲＡＴと前記第２のＲＡＴとの間の前記結合を示し、
前記第１のＲＡＴと前記第２のＲＡＴとの間の前記結合を通知する前記ＲＡＴのうちの少なくとも１つ上でブロードキャストメッセージを受信すること、
前記第２のＲＡＴの少なくとも１つのキャリアと前記第１のＲＡＴの少なくとも１つのキャリアのキャリアアグリゲーションを識別すること、または
前記ネットワーク機器が前記ＲＡＴの各々と関連付けられた配置された要素を備えると決定すること
のうちの少なくとも１つを備える、Ｃ４６に記載のコンピュータプログラム製品。
［Ｃ４８］
ネットワーク機器によるワイヤレス通信の方法は、
第１の無線アクセス技術（ＲＡＴ）および第２のＲＡＴ上でユーザ機器（ＵＥ）と通信することと、
前記ＵＥと前記ネットワーク機器との間の前記通信における前記第１のＲＡＴと前記第２のＲＡＴとの間の結合を識別することと、
前記ＲＡＴのうちの少なくとも１つと関連付けられたハンドオーバイベントを識別することと、
前記識別されたハンドオーバイベントと前記第１のＲＡＴと前記第２のＲＡＴとの間の前記結合に少なくとも部分的に基づいてネットワークトラヒックルーティングを前記ネットワーク機器によって適合させることと
を備える、方法。
［Ｃ４９］
前記ＵＥから前記ネットワーク機器へのアップリンクトラヒックのルーティングを変更するために前記ＵＥに要求を送信することをさらに備える、Ｃ４８に記載の方法。
［Ｃ５０］
前記第１のネットワークは、ワイヤレスワイドエリアネットワーク（ＷＷＡＮ）を備え、前記第２のネットワークは、無線ローカルエリアネットワーク（ＷＬＡＮ）を備え、ここにおいて、前記結合は、前記第１と第２のＲＡＴの両方に関するネットワークトラヒックを前記ネットワーク機器へ伝達するために共通のベアラを使用することを備える、Ｃ４８に記載の方法。